(57)【特許請求の範囲】
【請求項１】
天井に取り付けられると共に、点灯回路が設けられ、かつ前記天井側の面である上面と、前記天井とは反対側の面である下面と、を有する板状の部分を備える本体ユニットと、
前記本体ユニットの下面に設けられる取付ばねと、
前記本体ユニットの長手方向に沿って延在すると共に、上面および下面を有する板状の部分を備える基台と、前記基台の下面に設けられると共に、複数のＬＥＤが前記本体ユニットの長手方向に沿って配置されるＬＥＤ基板と、を備えるＬＥＤ点灯ユニットと、
前記ＬＥＤ点灯ユニットの上面において上方に突出して設けられ、かつ、天井側の先端から前記ＬＥＤ点灯ユニットに向かって幅が広がり、その後、前記ＬＥＤ点灯ユニットに向かって幅が縮小する外形の部分を有する取付金具と、
前記ＬＥＤ点灯ユニットの前記基台と嵌合する凹状の部分である、弾性変形が可能な第１部分と、前記第１部分に連接する、光を反射する反射面を有する第２部分と、を備え、前記第１部分の、前記基台の上面と面接触する下面を有する板状の部分の一部において前記取付金具が挿通される挿通孔が設けられる反射板ユニットと、
を備え、
前記本体ユニットと前記ＬＥＤ点灯ユニットとの間に、前記反射板ユニットが位置し、
前記取付ばねは、互いが接近する方向に付勢される一対の保持部を備え、
前記ＬＥＤ点灯ユニットに取り付けられている前記取付金具の前記外形の部分は、前記反射板ユニットにおける前記挿通孔に下方から挿通され、さらに、前記反射板ユニットの上方に位置する前記本体ユニットに取り付けられている前記取付ばねの前記一対の保持部の間に挿通され、前記一対の保持部によって両側を挟み込まれ、これによって、前記ＬＥＤ点灯ユニットが、前記天井に取り付けられている前記本体ユニットに保持され、
前記ＬＥＤ点灯ユニットの前記基台は、弾性変形によって弾性復元力が生じている状態の、前記反射板ユニットの前記第１部分と面接触した状態で嵌合し、この嵌合によって、前記反射板ユニットは、前記本体ユニットに保持されている前記ＬＥＤ点灯ユニットに、前記本体ユニットの長手方向に直交する幅方向に沿う移動が規制された状態で固定され、
かつ、前記ＬＥＤ基板の熱は、前記ＬＥＤ点灯ユニットの前記基台、前記反射板ユニットの前記第１部分における、前記基台と接触している面を経由して放熱される照明器具。
【請求項２】
請求項１に記載の照明器具において、
前記本体ユニットの長手方向の両端部に、前記ＬＥＤ点灯ユニットの、前記本体ユニットの長手方向に沿う移動を規制する規制部材が設けられる照明器具。
【発明の詳細な説明】
【技術分野】
【０００１】
本発明は、ＬＥＤを光源として天井面に設置されるベースライトに適用される照明器具に関する。
【背景技術】
【０００２】
従来より、ＬＥＤの基板が放熱板に取り付けられ、この放熱板がケースに接続された照明器具が知られている（例えば、特許文献１参照）。
【先行技術文献】
【特許文献】
【０００３】
【特許文献１】特開２００９−１０４９９８号公報（図２、請求項１）
【発明の概要】
【発明が解決しようとする課題】
【０００４】
前述した特許文献１に記載された照明器具は、ＬＥＤからの熱を放熱板から効率よく放熱できる。
ところで、図１０に示すように、本体ユニット１０１に取り付けられた取付ばね１０２を弾性変形させながら反射板等の構造部材１０３を取付ばね１０２に装着する照明器具１００が提案されている。
【０００５】
このような従来の照明器具１００は、ハ字形状をなす取付ばね１０２の先端部が構造部材１０３に有するばね孔１０４に弾性変形されて挿入されることにより取付ばね１０２に蓄積された弾性復元力により構造部材１０３が本体ユニット１０１に保持される。構造部材１０３を本体ユニット１０１から取り外す場合、構造部材１０３から飛び出している取付ばね１０２の先端部を指等で摘むことにより取付ばね１０２を弾性変形させて、構造部材１０３のばね孔１０４から取付ばね１０２を抜き出して構造部材１０３が本体ユニット１０１から取り外される。
【０００６】
しかし、このような従来の照明器具１００は、壁１に設置された場合、自重により構造部材１０３が本体ユニット１０１の長手方向に直交する幅方向に対してがたついたり、落下したりする。
また、このような従来の照明器具１００は、構造部材１０３が本体ユニット１０１に大きな面積で接触されていないために、構造部材１０３から伝わる不図示の光源の熱を本体ユニット１０１から効率放熱できない。
【０００７】
本発明は、前述した課題を解決するためになされたものであり、その目的は、構造部材の本体ユニットに対するがたつきを規制できるとともに効率よく放熱できる照明器具を提供することにある。
【課題を解決するための手段】
【０００８】
本発明に係る照明器具は、天井に取り付けられると共に、点灯回路が設けられ、かつ前記天井側の面である上面と、前記天井とは反対側の面である下面と、を有する板状の部分を備える本体ユニットと、前記本体ユニットの下面に設けられる取付ばねと、前記本体ユニットの長手方向に沿って延在すると共に、上面および下面を有する板状の部分を備える基台と、前記基台の下面に設けられると共に、複数のＬＥＤが前記本体ユニットの長手方向に沿って配置されるＬＥＤ基板と、を備えるＬＥＤ点灯ユニットと、前記ＬＥＤ点灯ユニットの上面において上方に突出して設けられ、かつ、天井側の先端から前記ＬＥＤ点灯ユニットに向かって幅が広がり、その後、前記ＬＥＤ点灯ユニットに向かって幅が縮小する外形の部分を有する取付金具と、前記ＬＥＤ点灯ユニットの前記基台と嵌合する凹状の部分である、弾性変形が可能な第１部分と、前記第１部分に連接する、光を反射する反射面を有する第２部分と、を備え、前記第１部分の、前記基台の上面と面接触する下面を有する板状の部分の一部において前記取付金具が挿通される挿通孔が設けられる反射板ユニットと、を備え、前記本体ユニットと前記ＬＥＤ点灯ユニットとの間に、前記反射板ユニットが位置し、前記取付ばねは、互いが接近する方向に付勢される一対の保持部を備え、前記ＬＥＤ点灯ユニットに取り付けられている前記取付金具の前記外形の部分は、前記反射板ユニットにおける前記挿通孔に下方から挿通され、さらに、前記反射板ユニットの上方に位置する前記本体ユニットに取り付けられている前記取付ばねの前記一対の保持部の間に挿通され、前記一対の保持部によって両側を挟み込まれ、これによって、前記ＬＥＤ点灯ユニットが、前記天井に取り付けられている前記本体ユニットに保持され、前記ＬＥＤ点灯ユニットの前記基台は、弾性変形によって弾性復元力が生じている状態の、前記反射板ユニットの前記第１部分と面接触した状態で嵌合し、この嵌合によって、前記反射板ユニットは、前記本体ユニットに保持されている前記ＬＥＤ点灯ユニットに、前記本体ユニットの長手方向に直交する幅方向に沿う移動が規制された状態で固定され、かつ、前記ＬＥＤ基板の熱は、前記ＬＥＤ点灯ユニットの前記基台、前記反射板ユニットの前記第１部分における、前記基台と接触している面を経由して放熱される。
【０００９】
本発明に係る照明器具は、本体ユニットの長手方向の両端部に、ＬＥＤ点灯ユニットの、本体ユニットの長手方向に沿う移動を規制する規制部材が設けられる。
【発明の効果】
【００１１】
本発明に係る照明器具によれば、構造部材の本体ユニットに対するがたつきを規制できるとともに効率よく放熱できるという効果を奏する。
【図面の簡単な説明】
【００１２】
【図１】本発明に係る一実施形態の照明器具の分解斜視図
【図２】図１の照明器具のＬＥＤ点灯ユニットと本体ユニットとの組み付け前の外観斜視図
【図３】図１の照明器具の組み付け前の各部品の垂直断面図
【図４】図１の照明器具のＬＥＤ点灯ユニットのみを反射板ユニットと本体ユニットから着脱する場合の垂直断面図
【図５】図４の照明器具の組み付け後の垂直断面図
【図６】図１の照明器具のＬＥＤ点灯ユニットと反射板ユニットとを本体ユニットから着脱する場合の垂直断面図
【図７】図６の照明器具の組み付け後の垂直断面図
【図８】図１の照明器具の分解側面図
【図９】図８の照明器具の組み付け後の側面図
【図１０】従来の照明器具の垂直断面図
【発明を実施するための形態】
【００１３】
以下、本発明に係る一実施形態の照明器具について図面を参照して説明する。
図１に示すように、一実施形態の照明器具１０は、安定器等の点灯回路１２が取り付けられた本体ユニット１１と、本体ユニット１１に取り付けられた一対の取付ばね１３と、構造部材であって金属板部１５を有する反射板ユニット１４と、複数のＬＥＤ１７を備えるＬＥＤユニット１８を有するＬＥＤ点灯ユニット１６と、ＬＥＤ点灯ユニット１６に取り付けられ、取付ばね１３に装着される一対の取付金具１９とを備えるベースライトである。
【００１４】
本体ユニット１１は、熱伝導性の良好な若干の弾性反発力を有する例えば板金曲部材製やアルミニウム押出型材製であって長方形の板形状に形成されており、下面の両端部に取付ばね１３が取り付けられている。
反射板ユニット１４は、熱伝導性の良好な例えば板金曲部材製やアルミニウム押出型材製であって長方形の箱形状に形成されており、中央部に配置されたコ字形状の金属板部１５の両側に一対の反射板２０を有する。
【００１５】
ＬＥＤ点灯ユニット１６は、熱伝導性の良好な例えば板金曲部材製やアルミニウム押出型材製の板形状の基台２１を有し、基台２１の下方側にレンズ２２が取り付けられており、基台２１の裏面にＬＥＤユニット１８が取り付けられている。ＬＥＤ点灯ユニット１６は、ＬＥＤユニット１８の長手方向に沿って複数のＬＥＤ１７を配列させている。ＬＥＤ１７は基板２３上に実装されており、基板２３に有する不図示のプリント回路が点灯回路１２に電気的に接続される。ＬＥＤ点灯ユニット１６は、上面の両端部に取付金具１９が取り付けられている。
【００１６】
図２に示すように、取付ばね１３は、弾性を有する金属製の板部材を折曲加工することにより成形されている。取付ばね１３は、先端部に取付金具１９の両側を挾み込むように弾性反発力が設定された一対の対向する保持部２４を有し、基端部に本体ユニット１１への固定部２５を有する。
【００１７】
取付金具１９は、弾性を有さない金属製の板部材を折曲加工することにより、菱形に形成された挿入部２６と、ＬＥＤ点灯ユニット１６の表面にねじ止めされる固定部２７とを有する。
【００１８】
図３に示すように、反射板ユニット１４は、取付金具１９を挿通させるための取付金具孔２８を有する。そのため、ＬＥＤ点灯ユニット１６が本体ユニット１１に対して進行される際に、ＬＥＤ点灯ユニット１６の取付金具１９が反射板ユニット１４の取付金具孔２８を挿通されて本体ユニット１１の取付ばね１３に挿着される。
【００１９】
反射板ユニット１４は、コ字形状の金属板部１５の開口部分に、ＬＥＤ点灯ユニット１６の基台２１の幅寸法に同等または幅寸法よりもわずかに小さい一対の曲部２９を有する。曲部２９は、ＬＥＤ点灯ユニット１６が反射板ユニット１４に組み付けられた際に、弾性変形され、弾性変形されることにより蓄積された弾性復元力により、反射板ユニット１４の金属板部１５をＬＥＤ点灯ユニット１６の基台２１に強固に結合させる。
【００２０】
従って、ＬＥＤ点灯ユニット１６が反射板ユニット１４に組み付けられた際に、ＬＥＤ点灯ユニット１６の基台２１が反射板ユニット１４の金属板部１５に係合されることにより、ＬＥＤ点灯ユニット１６における本体ユニット１１の長手方向に直交する幅方向への移動を規制できる。
【００２１】
また、ＬＥＤ点灯ユニット１６が反射板ユニット１４に組み付けられた際に、ＬＥＤ点灯ユニット１６の基台２１が反射板ユニット１４の金属板部１５に面接触されて熱的に接続されることにより、ＬＥＤ点灯ユニット１６の基台２１からの熱が金属板部１５から反射板ユニット１４に効率よく伝わる。
【００２２】
加えて、反射板ユニット１４の金属板部１５の曲部２９により、ＬＥＤ点灯ユニット１６が反射板ユニット１４に組み付けられた際に、反射板ユニット１４の金属板部１５をＬＥＤ点灯ユニット１６の基台２１に強固に結合できる。
【００２３】
図４に示すように、ＬＥＤ点灯ユニット１６のみが反射板ユニット１４および本体ユニット１１に対して進行される。次に、ＬＥＤ点灯ユニット１６の取付金具１９が反射板ユニット１４の取付金具孔２８に挿通された後に、本体ユニット１１の取付ばね１３に挿着される。これにより、ＬＥＤ点灯ユニット１６が反射板ユニット１４および本体ユニット１１に組み付けられる。
【００２４】
図５に示すように、ＬＥＤ点灯ユニット１６が反射板ユニット１４および本体ユニット１１に組み付けられることにより、反射板ユニット１４の金属板部１５に有する曲部２９により、ＬＥＤ点灯ユニット１６の基台２１からの熱が金属板部１５から反射板ユニット１４に効率よく伝わる。
取り外しを行う場合は、上記と反対に、ＬＥＤ点灯ユニット１６のみが反射板ユニット１４および本体ユニット１１から取り外される。
【００２５】
図６に示すように、ＬＥＤ点灯ユニット１６の基台２１が反射板ユニット１４の金属板部１５に嵌合されたＬＥＤ点灯ユニット１６および反射板ユニット１４が本体ユニット１１に対して進行される。そして、ＬＥＤ点灯ユニット１６の取付金具１９が本体ユニット１１の取付ばね１３に挿着される。これにより、ＬＥＤ点灯ユニット１６が反射板ユニット１４および本体ユニット１１に組み付けられる。
【００２６】
図７に示すように、ＬＥＤ点灯ユニット１６および反射板ユニット１４が本体ユニット１１に組み付けられることにより、反射板ユニット１４の金属板部１５に有する曲部２９により、ＬＥＤ点灯ユニット１６の基台２１からの熱が金属板部１５から反射板ユニット１４に効率よく伝わる。
取り外しを行う場合は、上記と反対に、ＬＥＤ点灯ユニット１６および反射板ユニット１４が本体ユニット１１から取り外される。
【００２７】
図８に示すように、本体ユニット１１の長手方向の両端部に、規制手段である本体ユニット側規制部材３０が取り付けられている。本体ユニット側規制部材３０はＬＥＤ点灯ユニット１６の取付金具１９または基台２１に係止される。
図９に示すように、ＬＥＤ点灯ユニット１６と反射板ユニット１４と本体ユニット１１とが組み付けられることにより、ＬＥＤ点灯ユニット１６の取付金具１９が本体ユニット１１の本体ユニット側規制部材３０に係止されてＬＥＤ点灯ユニット１６における本体ユニット１１の長手方向への移動が規制される。
【００２８】
なお、ＬＥＤ点灯ユニット１６の基台２１に、本体ユニット１１の本体ユニット側規制部材３０を係止させるための孔や突起を設けてもよい。
従って、本体ユニット側規制部材３０により、ＬＥＤ点灯ユニット１６を本体ユニット１１の長手方向へ移動させずに規制できる。
【００２９】
以上、説明した実施形態の照明器具１０によれば、ＬＥＤ点灯ユニット１６が反射板ユニット１４に組み付けられた際に、ＬＥＤ点灯ユニット１６の基台２１が反射板ユニット１４の金属板部１５に係合されることにより、ＬＥＤ点灯ユニット１６における本体ユニット１１の長手方向に直交する幅方向への移動を規制できる。また、一実施形態の照明器具１０によれば、ＬＥＤ点灯ユニット１６が反射板ユニット１４に組み付けられた際に、ＬＥＤ点灯ユニット１６の基台２１が反射板ユニット１４の金属板部１５に面接触されて熱的に接続されることにより、ＬＥＤ点灯ユニット１６の基台２１からの熱を金属板部１５から反射板ユニット１４に伝えて効率よく放熱できる。
【００３０】
また、実施形態の照明器具１０によれば、本体ユニット側規制部材３０により、ＬＥＤ点灯ユニット１６を本体ユニット１１の長手方向へ移動させずに規制できる。
【００３１】
そして、実施形態の照明器具１０によれば、反射板ユニット１４の金属板部１５の曲部２９により、ＬＥＤ点灯ユニット１６が反射板ユニット１４に組み付けられた際に、反射板ユニット１４の金属板部１５をＬＥＤ点灯ユニット１６の基台２１に強固に結合できる。
【００３２】
なお、本発明の照明器具において本体ユニット，点灯回路，反射板ユニット，ＬＥＤ点灯ユニット，ＬＥＤユニット等は、前述した実施形態に限定されるものでなく、適宜な変形や改良等が可能である。
【符号の説明】
【００３３】
１０  照明器具
１１  本体ユニット
１２  点灯回路
１４  反射板ユニット
１５  金属板部（金属面）
１６  ＬＥＤ点灯ユニット
２９  曲部
３０  本体ユニット側規制部材（規制手段）
【図１】
0005789747.tif 000002
【図２】
0005789747.tif 000003
【図３】
0005789747.tif 000004
【図４】
0005789747.tif 000005
【図５】
0005789747.tif 000006
【図６】
0005789747.tif 000007
【図７】
0005789747.tif 000008
【図８】
0005789747.tif 000009
【図９】
0005789747.tif 000010
【図１０】
0005789747.tif 000011